(57)【要約】【課題】  本発明は、大幅な収納スペースの確保を実現し、しかも安定した開閉動作を長期間にわたって維持することができる新規な開閉装置を提供することを目的とする。【解決手段】  前面が開放された箱状の収納部本体と、この収納部本体前面の開放部を覆う蓋部と、該蓋部を収納部本体に支持するための１ないし複数のアームからなる開閉装置であって、該開閉装置には、蓋部が開状態の際に、該蓋部を開放する方向へ付勢力を与える弾性手段が備えられてなり、特に、前記弾性手段として渦巻きバネを用いたことを特徴とする開閉装置。【選択図】  図３
2007169876.tif 000002
【特許請求の範囲】
【請求項１】
前面が開放された箱状の収納部本体と、この収納部本体前面の開放部を覆う蓋部と、該蓋部を収納部本体に支持するための１ないし複数のアームからなる開閉装置であって、該開閉装置には、蓋部が開状態の際に、該蓋部を開放する方向へ付勢力を与える弾性手段が備えられてなり、特に、前記弾性手段として渦巻きバネを用いたことを特徴とする開閉装置。
【請求項２】
蓋部が開状態の際に、該蓋部を開放する方向へ付勢力を与える一方で、蓋部が閉状態の際には、該蓋部を収納部本体に押し付ける方向に付勢力を与える弾性手段が備えられてなる請求項１に記載の開閉装置。
【請求項３】
少なくとも一のアームには、渦巻きバネから発生する弾性力を該アームに伝達する支点が設けられてなり、蓋部が閉状態の際には、前記アームにおける収納部本体側の枢着点が前記支点の位置若しくは前記支点と渦巻きバネの作用点とが作る直線より上位置に存し、一方、蓋部が開状態の際には、前記アームにおける収納部本体側の枢着点が前記支点の位置若しくは前記支点と渦巻きバネの作用点とが作る直線より下位置に存するように、前記支点の位置が決定される請求項１又は２に記載の開閉装置。
【請求項４】
少なくとも一のアームに設けられた支点に、渦巻きバネの作用点が直接取り付けられる請求項３に記載の開閉装置。
【請求項５】
少なくとも一のアームにおいて突出するクランク部が設けられてなり、該クランク部に設けられた支点に、渦巻きバネの作用点が直接取り付けられる請求項３に記載の開閉装置。
【請求項６】
少なくとも一のアームに設けられた支点に、渦巻きバネの作用点が架橋部材を介して取り付けられる請求項３に記載の開閉装置。
【請求項７】
少なくとも一のアームにおいて突出するクランク部が設けられてなり、該クランク部に設けられた支点に、渦巻きバネの作用点が架橋部材を介して取り付けられる請求項３に記載の開閉装置。
【請求項８】
架橋部材の長さが変化することにより、該渦巻きバネから生じる弾性力が制御される請求項６又は７に記載の開閉装置。
【請求項９】
渦巻きバネの設置位置が変化することにより、該渦巻きバネから生じる弾性力が制御される請求項１ないし８のいずれか１項に記載の開閉装置。
【請求項１０】
渦巻きバネの設置角度が変化することにより、該渦巻きバネから生じる弾性力が制御される請求項１ないし８のいずれか１項に記載の開閉装置。
【請求項１１】
蓋部を収納部本体に支持するための１ないし複数のアームが収納部本体内側面左右に備えられてなり、当該アームのうち少なくとも左右一対が連結手段により連結されている請求項１ないし１０のいずれか１項に記載の開閉装置。
【発明の詳細な説明】
【技術分野】
【０００１】
本発明は、収納部本体に対して蓋部が開閉可能となるように構成された開閉装置に関する。
【背景技術】
【０００２】
最近、アームを介して収納部本体に支持された蓋部が前方上方に開くように構成されたいわゆる「フラップアップ式」の開閉装置が開発されており、通常、このような開閉装置においては、蓋部が開状態の際に、該蓋部を開放する方向へ付勢力を与える弾性手段が備えられている。
【０００３】
即ち、このような弾性手段が備えられている開閉装置は、蓋部が開状態の際には、蓋部が開放される方向へ付勢されるため、安定した開状態が維持され、収納部本体に物品を収納する作業が簡便になるのである。
【０００４】
又、蓋部が開状態の際には、該蓋部を開放する方向へ付勢力を与える一方で、蓋部が閉状態の際には、該蓋部を収納部本体に押し付ける方向に付勢力を与える弾性手段が備えられてなる開閉装置も開発されており、このような弾性手段が備えられている開閉装置においては、更に、蓋部が閉状態の際に蓋部が収納部本体方向に向かって押し付けられるため、該収納部本体前面の開放部が蓋部によりきっちりと閉ざされるのである。
【０００５】
ここで、このような弾性手段が設けられた開閉装置としては、図１の模式図に示すような構造のものを挙げることができる。
【０００６】
図１に示す開閉装置１は、前面が開放された箱状の収納部本体２と、この収納部本体２前面の開放部を覆う蓋部３と、該蓋部３を収納部本体２に支持するための２本のアーム４（メインアーム４１、補助アーム４２）からなり、更に、蓋部３が開状態の際には、該蓋部３を開放する方向へ付勢力を与える一方で、蓋部３が閉状態の際には、該蓋部３を収納部本体２に押し付ける方向に付勢力を与える弾性手段８が備えられている。
【０００７】
更に詳しくは、この開閉装置１は、２本のアーム４の両端を、それぞれ収納部本体２の内側面奥行き方向に沿って固定されたＬ字型の取付板５の前板部５１の適宜位置（４１１、４２１）と、蓋部３背面に設置された取付部６の適宜位置（４１２、４２２）に枢着することにより、２本のアーム４が図中時計回りに回転すれば、それに伴って蓋部３が前方上方向に開くように構成されたものである。
【０００８】
又、この開閉装置１における弾性手段８としては、前記Ｌ字型の取付板５の横板部５２における適宜位置５２１からメインアーム４１の端部において突出するクランク部７に設けられた支点７１まで、引っ張り状態で架け渡された引きバネが用いられている。
【０００９】
即ち、この開閉装置１においては、蓋部３が収納部本体２前面の開口部を覆う閉状態にあるときは、メインアーム４１の収納部本体側２の枢着位置４１１よりクランク部７に設けられた支点７１の位置が図中下側位置となるため、弾性体８から生じる付勢力がアーム４の図中時計回りの回転を妨げる方向となり、蓋部３が収納部本体２に押し付けられて、該収納部本体２前面の開放部が蓋部３によりきっちりと閉ざされるのである。
【００１０】
一方、弾性体８から生じる付勢力に抗して蓋部３を前方上方向に開くと、図２（ａ）に示す位置までは、アーム４の図中時計回りの回転を妨げる方向に付勢力が生じているが、当該位置を越えた時点で、図２（ｂ）に示すように、メインアーム４１の収納部本体２側の枢着位置４１１よりクランク部に設けられた支点７１の位置が図中上側位置となるため、弾性体８から生じる付勢力がアーム４の図中反時計回りの回転を助ける方向へと変化して蓋部３が開放される方向への補助力となり、安定した開状態が維持されるのである。
【００１１】
しかしながら、このような弾性手段が設けられた開閉装置においては、コイルバネが伸ばされた状態で収納部本体の奥行き方向に沿って取り付けられるため、収納部本体の奥行き方向の寸法は前記伸ばされたコイルバネの長さ以上に設定する必要が生じ、収納部本体の形状や大きさが制限されるといった問題があり、又、前記伸ばされたコイルバネが収納部本体内に嵩高く設置されているから、該収納部本体内の収納スペースを大きく確保することができなくなるといった問題があった。
【００１２】
そこでこの点に鑑み、収納本体等の収納体に要する取り付けスペースが小さく、見栄えもすっきりした扉開閉機構が提案されている（例えば、特許文献１。）。
【００１３】
【特許文献１】特開平２００５−２６４７１９号公報
【００１４】
即ち、この扉開閉機構は、コイルバネやガススプリングが扉（蓋部）の背面側に取り付けられているものであり、このように構成しているから、収納部本体自体に要する取り付けスペースが小さくなり、又、蓋部の位置に係らずコイルバネが蓋部の背面側に位置するため、使用時に正面から見えずすっきりした状態になるように構成したものである。
【発明の開示】
【発明が解決しようとする課題】
【００１５】
しかしながら、このようにコイルバネが蓋部の背面に取り付けられた開閉装置においても、やはり嵩高いコイルバネやガススプリングを用いているため、蓋部の寸法を前記コイルバネやガススプリングの長さ以上に設定する必要が生じ、蓋部の形状や大きさがある程度制限されるといった問題がある。
【００１６】
又、前記コイルバネやガススプリングが蓋部の背面に嵩高く設置されているから、収納部本体に荷物などの物品を多量に収納した後に蓋部を閉めようとする際に、当該コイルバネやガススプリングが荷物や物品に接触して扉が閉まらなくなり、再度荷物などの物品を収納しなおす作業が必要になるなど、事実上、収納部本体内の収納スペースはそれほど大きく確保されてはいなかった。
【００１７】
そこで、本発明者は、このような問題を解決すべく鋭意検討を重ねた結果、前面が開放された箱状の収納部本体と、この収納部本体前面の開放部を覆う蓋部と、該蓋部を収納部本体に支持するための１ないし複数のアームからなる開閉装置であって、該開閉装置には、蓋部が開状態の際に、該蓋部を開放する方向へ付勢力を与える弾性手段が備えられてなり、特に、前記弾性手段として渦巻きバネを用いたことを特徴とする開閉装置（以下、本発明装置と称する。）を完成するに至ったのである。
【００１８】
即ち、本発明者は、この種、蓋部が開状態の際に、該蓋部を開放する方向へ付勢力を与える弾性手段が備えられてなる開閉装置における弾性手段として、比較的コンパクトな構造の渦巻きバネを用いれば、収納部本体内の収納スペースを大きく確保することができるといった知見を得たのである。
【００１９】
又、一般的に渦巻きバネは、コイルバネなど比較して安価なため、開閉装置のコスト安を実現することができるのであり、しかも渦巻きバネは繰り返し使用による弾性力の低下（劣化）が小さいため、開閉装置の安定動作を長期間にわたって維持することができるとの知見も得たのである。
【００２０】
本発明は、上記知見に基づき完成されたものであり、大幅な収納スペースの確保を実現し、しかも安定した開閉動作を長期間にわたって維持することができる新規な開閉装置を提供することを目的とする。
【課題を解決するための手段】
【００２１】
以上の課題を解決する手段である本発明装置は、前面が開放された箱状の収納部本体と、この収納部本体前面の開放部を覆う蓋部と、該蓋部を収納部本体に支持するための１ないし複数のアームからなる開閉装置であって、該開閉装置には、蓋部が開状態の際に、該蓋部を開放する方向へ付勢力を与える弾性手段が備えられてなり、特に、前記弾性手段として渦巻きバネを用いたことを特徴とする。
以下、本発明装置について詳細に説明する。
【００２２】
本発明装置は、前面が開放された箱状の収納部本体と、この収納部本体前面の開放部を覆う蓋部と、該蓋部を収納部本体に支持するための１ないし複数のアームからなる開閉装置であれば特に限定されるものではなく、一般的に、「フラップアップ式」などと称される開閉装置である。
【００２３】
又、本発明装置においては、蓋部が開状態の際に、該蓋部を開放する方向へ付勢力を与える弾性手段が備えられており、このような弾性手段を備えているから、蓋部が開状態の際には、蓋部が開放される方向へ付勢されるため、安定した開状態が維持され、収納部本体内に物品を収納する作業が簡便になるのである。
【００２４】
特に、本発明装置においては、蓋部が開状態の際に、該蓋部を開放する方向へ付勢力を与える一方で、蓋部が閉状態の際には、該蓋部を収納部本体に押し付ける方向に付勢力を与える弾性手段を備えることが好ましく、このような弾性手段を備えることにより、更に、蓋部が閉状態の際に蓋部が収納部本体方向に向かって押し付けられるため、該収納部本体前面の開放部を蓋部によりきっちりと閉ざすことができるのである。
【００２５】
なお、本発明装置において、前記収納部本体及び蓋部としては、本発明装置の各種用途や求められるデザインなどに応じてその大きさや形状、及び素材を適宜決定すれば良いのであり、特に制限されるものではない。
【００２６】
又、前記アームとしては、本発明装置の開閉動作によって著しい変形や破損を生じることがない程度の物理的強度を有するものであれば、特に限定されるものではなく、棒状のものであっても板状のものであっても良く、更に、直線的な棒状体や、正面視、略長方形の板状体のようなものに限らず、途中で屈曲したものや、正面視、略三角形や略円形などの板状体であっても良い。
【００２７】
加えて、本発明においては、複数のシャフトがスライドして伸縮する構造のものや、ガスダンパやオイルダンパ、或いはガススプリングなどの部材をアームとして用いても良いのである。
【００２８】
そして、本発明装置においては、前記弾性手段として渦巻きバネを用いた点に最も大きな特徴を有する。
【００２９】
即ち、本発明においては、この種、蓋部が開状態の際に、該蓋部を開放する方向へ付勢力を与える弾性手段が備えられてなる開閉装置における弾性手段として、比較的コンパクトな構造の渦巻きバネを用いているから、収納部本体内の収納スペースを大きく確保することができるのである。
【００３０】
又、一般的に渦巻きバネは、コイルバネなど比較して安価なため、開閉装置のコスト安を実現することができるのであり、しかも渦巻きバネは繰り返し使用による弾性力の低下（劣化）が小さいため、開閉装置の安定動作を長期間にわたって維持することができるのである。
【００３１】
ここで、本発明装置において備えられる前記渦巻きバネは、少なくとも蓋部が開状態の際に、該蓋部を開放する方向へ付勢力を与えるような取り付け状態、ないしは蓋部が開状態の際に、該蓋部を開放する方向へ付勢力を与える一方で、蓋部が閉状態の際には、該蓋部を収納部本体に押し付ける方向に付勢力を与えるような取り付け状態であれば、その取り付け状態については特に限定されるものではないが、本発明においては、部品点数を少なくし、取り付け状態をコンパクトにすべく、少なくとも一のアームに、渦巻きバネから発生する弾性力を該アームに伝達する支点を設け、前記支点の位置の決定につき、蓋部が閉状態の際には、前記アームにおける収納部本体側の枢着点が、前記支点の位置、若しくは前記支点と渦巻きバネの作用点とが作る直線より上位置に存し、一方、蓋部が開状態の際には、前記アームにおける収納部本体側の枢着点が、前記支点の位置、若しくは前記支点と渦巻きバネの作用点とが作る直線より下位置に存するようにすることが好ましい。
【００３２】
即ち、このように支点の位置を決定して渦巻きバネを備えると、蓋部が収納部本体前面の開口部を覆う閉状態にあるときは、アームの収納部本体側の枢着点が、前記支点の位置、若しくは前記支点と渦巻きバネの作用点とが作る直線より上位置に存するため、弾性体から生じる付勢力が蓋部を開放する方向へのアームの回転を妨げ、蓋部が収納部本体に押し付けられて、該収納部本体前面の開放部が蓋部によりきっちりと閉ざされるのである。
【００３３】
一方、弾性体から生じる付勢力に抗して、蓋部を前方上方向に開くと、蓋部が開放状態にあるときは、前記アームの枢着点が、前記支点の位置、若しくは前記支点と渦巻きバネの作用点とが作る直線より下位置に存するため、弾性体から生じる付勢力が蓋部を開放する方向への補助力となり、安定した開状態が維持されるのである。
【００３４】
なお、このような渦巻きバネの取り付け状態の具体例としては、例えば、以下の（１）〜（４）に記載の取り付け状態を挙げることができる。
【００３５】
（１）少なくとも一のアームに設けられた支点に、渦巻きバネの作用点を直接取り付ける。
【００３６】
（２）少なくとも一のアームにおいて突出するクランク部を設け、該クランク部に設けられた支点に渦巻きバネの作用点を直接取り付ける。
【００３７】
（３）少なくとも一のアームに設けられた支点に、渦巻きバネの作用点を架橋部材を介して取り付ける。
【００３８】
（４）少なくとも一のアームにおいて突出するクランク部を設け、該クランク部に設けられた支点に渦巻きバネの作用点を架橋部材を介して取り付ける。
【００３９】
本発明においては、上記（１）〜（４）のいずれの取り付け手段を採用しても良いのであるが、アームに直接支点を設ける場合と比較して、アームにクランク部を設けると共に該クランク部に支点を設ける方が、渦巻きバネから発生する弾性力をより強くアームに伝達することができる利点がある。
【００４０】
又、支点に直接渦巻きバネの作用点を取り付ける場合と比較して、架橋部材を介して取り付ける方が、渦巻きバネの疲労が少なく、しかも、渦巻きバネの取り付け位置の自由度が増すといった利点がある。
【００４１】
なお、前記架橋部材としては、本発明装置の開閉動作によって著しい変形や破損を生じることがない程度の物理的強度を有し、渦巻きバネから発生する弾性力を効率よくアームに伝達し得るものであれば特に限定されるものではなく、棒状のものであっても板状のものであっても良く、又、直線的な棒状体や、正面視、略長方形の板状体のようなものに限らず、途中で屈曲したものや、正面視、略三角形や略円形などの板状体であっても良い。
【００４２】
特に、本発明においては、前記架橋部材としてその長さを調節できる可変性を有するものを用いることが好ましく、このように架橋部材の長さが可変であると、その長さを適宜変えるだけで渦巻きバネから発生する弾性力を制御することができるのであり、これより扉の開閉に与える付勢力を適宜調節したり、或いは、渦巻きバネの弾性力が低下した際に、架橋部材の長さを短くして、発生する弾性力を維持したりすることができるのである。
【００４３】
ここで、架橋部材につきその長さを調節できるようにする方法としては、特に限定されるものではないが、具体的に例えば、架橋部材が複数の部材からなり、複数の部材が適宜スライドしてその長さを調節可能としたり、複数の部材の結合位置を変えることによりその長さを調節可能としたり、複数の部材の数を増やしたり減らしたりしてその長さを調節可能としたりする手段などを挙げることができる。
【００４４】
又、本発明においては、渦巻きバネから発生する弾性力を制御したり、発生する弾性力を維持したりするために、当該渦巻きバネの設置位置を変化することができるようにすることが好ましい。
【００４５】
即ち、渦巻きバネの設置位置をアームの支点から遠ざけると、渦巻きバネから発生する弾性力が強くなり、一方、渦巻きバネの設置位置をアームの支点に近づけると、渦巻きバネから発生する弾性力が弱くなるのであり、これより、渦巻きバネから発生する弾性力を制御することができるのである。
【００４６】
更に、本発明においては、渦巻きバネから発生する弾性力を制御したり、発生する弾性力を維持したりするために、当該渦巻きバネの設置角度を変化することができるようにすることが好ましい。
【００４７】
即ち、渦巻きバネの設置角度を変えることにより、渦巻きバネの絞りの程度が変化することから、これより、渦巻きバネから発生する弾性力を制御することができるのである。
【００４８】
ここで、渦巻きバネの設置位置や設置角度を調節する方法としては、特に限定されるものではないが、具体的に例えば、渦巻きバネの設置位置にガイドを設け、当該ガイドに沿って渦巻きバネがスライド可能になるようにし、所望の位置において固定部材などを用いて渦巻きバネの設置位置を固定したり、固定部材として回転可能なものを用いることにより渦巻きバネを絞ったり緩めたりして、渦巻きバネの設置角度を調節できるようにする手段などを挙げることができる。
【００４９】
ところで、本発明装置の如き、前面が開放された箱状の収納部本体と、この収納部本体前面の開放部を覆う蓋部と、該蓋部を収納部本体に支持するための１ないし複数のアームからなる開閉装置においては、蓋部を収納部本体に支持するための１ないし複数のアームが収納部本体内側面左右に備えられてなることが多いが、当該左右のアームの運動が左右一致していないと、蓋部にねじれが生じたり、蓋部のスムーズな開閉が妨げられたりする場合がある。
【００５０】
そこで、本発明装置において、蓋部を収納部本体に支持するための１ないし複数のアームを収納部本体内側面左右に備える場合にあっては、当該アームのうち少なくとも左右一対を連結手段により連結し、当該左右一対のアームが左右一致して運動するように構成することが好ましい。
【００５１】
この連結手段の具体例としては、一方のアームの適宜箇所からもう一方のアームの適宜箇所に架け渡される板状ないしは棒状の部材を挙げることができる。
【００５２】
又、前記連結手段の取り付け位置につき、本発明装置においては、アームにおける蓋部側の枢着点近辺に取り付けることが好ましく、更に、蓋部が閉じた状態で当該連結手段が蓋部に寄り添うように取り付けることが一層好ましい。
【００５３】
この理由は、連結手段をアームにおける蓋部側の枢着点近辺に取り付けると、蓋部を開状態にした際に連結手段が蓋部の背後に隠れて使用者側から連結手段が視認されないため、本発明装置の使用上の美麗さを損なわないからであり、又、連結手段を蓋部に寄り添うように取り付ければ、当該連結手段の嵩により収納部本体の収納スペースが損なわれないからである。
【発明の効果】
【００５４】
本発明は、前記構成を有し、大幅な収納スペースの確保を実現し、しかも安定した開閉動作を長期間にわたって維持することができる新規な開閉装置である。
【００５５】
即ち、本発明においては、この種、蓋部が開状態の際に、該蓋部を開放する方向へ付勢力を与える弾性手段が備えられてなる開閉装置における弾性手段として比較的コンパクトな構造の渦巻きバネを用いているから、収納部本体内の収納スペースを大きく確保することができるのである。
【００５６】
又、一般的に渦巻きバネは、コイルバネなど比較して安価なため、開閉装置のコスト安を実現することができるのであり、しかも渦巻きバネは繰り返し使用による弾性力の低下（劣化）が小さいため、開閉装置の安定動作を長期間にわたって維持することができるのである。
【発明を実施するための最良の形態】
【００５７】
以下、本発明の実施例を説明するが、本発明はこの実施例に限定されるものではない。
【実施例１】
【００５８】
図３は、実施例１に係る本発明の開閉装置１を示す模式図（（ａ）側面図、（ｂ）正面図）であり、この開閉装置１は、前面が開放された箱状の収納部本体２と、この収納部本体２前面の開放部を覆う蓋部３と、該蓋部３を収納部本体２に支持するための２本のアーム４（メインアーム４１、補助アーム４２）からなる。
【００５９】
又、この開閉装置１においては、蓋部３が開状態の際に、該蓋部３を開放する方向へ付勢力を与える一方で、蓋部３が閉状態の際には、該蓋部３を収納部本体２に押し付ける方向に付勢力を与える弾性手段８としての渦巻きバネが備えられている。
【００６０】
更に詳しくは、この開閉装置１は、２本のアーム４の両端を、それぞれ収納部本体２の内側面に固定された取付板５の適宜位置（４１１、４２１）と、蓋部３の背面に設置された取付部６の適宜位置（４１２、４２２）に枢着することにより、２本のアーム４が図中時計回りに回転すれば、それに伴って蓋部３が前方上方向に開くように構成されたものである。
【００６１】
又、この開閉装置１における弾性手段８としての渦巻きバネは、前記取付板５の中ほどにおいて固定部材１０により固定されており、メインアーム４１の収納部本体２側の端部において突出するクランク部７に設けられた支点７１に、渦巻きバネの作用点８１を架橋部材９を介して取り付けている。
【００６２】
なお、図３（ｂ）の正面図に示すように、本実施例においては、前記アーム４が収納部本体２内側面左右に備えられており、当該アームのうち左右一対の補助アーム４２が連結手段１３を介して連結されている。
【００６３】
更に詳しくは、前記連結手段１３は、ネジなどの締結部材により左右一対の補助アーム４２の蓋部３側の枢着点４２２近辺に取り付けられており、しかも、蓋部３が閉じた状態において当該連結手段１３が蓋部３に寄り添うように取り付けられている。
【００６４】
そして、この開閉装置１においては、図３のように蓋部３が収納部本体２前面の開放部を覆う閉状態にあるときは、メインアーム４１の収納部本体２側の枢着点４１１が、支点７１と渦巻きバネの作用点８１とが作る直線より上位置に存するため、弾性体８から生じる付勢力が蓋部３を開放する方向へのアームの回転を妨げ、蓋部３が収納部本体２に押し付けられて、該収納部本体２前面の開放部が蓋部３によりきっちりと閉ざされるのである。
【００６５】
一方、弾性体８から生じる付勢力に抗して、蓋部３を前方上方向に開くと、図４（ａ）に示す位置まではアーム４の図中時計回りの回転を妨げる方向に付勢力が生じているが、当該位置を越えた時点で、図４（ｂ）に示すように、メインアーム４１の収納部本体２側の枢着点４１１が、前記支点７１と渦巻きバネの作用点８１とが作る直線より下位置に存するため、弾性体８から生じる付勢力が蓋部３を開放する方向への補助力となり、安定した開状態が維持されるのである。
【００６６】
特に、本実施例に係る本発明の開閉装置１においては、弾性手段８として比較的コンパクトな構造の渦巻きバネを用いているから、収納部本体２内の収納スペースを大きく確保することができるのである。
【００６７】
なお、本実施例において、架橋部材９として、図５の拡大図に示す如き、その長さを調節できる可変性を有するものを用いれば、その長さを適宜変えるだけで渦巻きバネから発生する弾性力を制御することができるのであり、これより蓋部３の開閉に与える付勢力を適宜調節したり、或いは、渦巻きバネの弾性力が低下した際に、架橋部材９の長さを短くして、発生する弾性力を維持したりすることができるのである。
【００６８】
又、本実施例において、取付板５への渦巻きバネの固定につき、図６の拡大図に示すように、取付板５における渦巻きバネの設置位置にガイド５１を設け、当該ガイド５１に沿って渦巻きバネがスライド可能になるようにして、所望の位置において固定部材１０を用いて渦巻きバネの設置位置を固定できるように構成すれば、渦巻きバネから発生する弾性力を制御することができるのであり、この手段によっても蓋部３の開閉に与える付勢力を適宜調節したり、或いは、渦巻きバネの弾性力が低下した際に、発生する弾性力を維持したりすることができるのである。
【００６９】
更に、本実施例において、固定部材１０として、図７の拡大図に示すようにレバー１１が備えられているものを用いれば、調整ネジ１２で適宜レバーの取り付け角度を変えることにより、渦巻きバネの設置角度を調節できるのであり、これより渦巻きバネを絞ったり緩めたりして、渦巻きバネから発生する弾性力を制御することができ、この手段によっても蓋部３の開閉に与える付勢力を適宜調節したり、或いは、渦巻きバネの弾性力が低下した際に、発生する弾性力を維持したりすることができるのである。
【実施例２】
【００７０】
図８は、実施例２に係る本発明の開閉装置１を示す模式図（（ａ）閉状態の側面図、（ｂ）開状態の側面図）であり、この開閉装置１は、前面が開放された箱状の収納部本体２と、この収納部本体２前面の開放部を覆う蓋部３と、該蓋部３を収納部本体２に支持するための２本のアーム４（メインアーム４１、補助アーム４２）からなる。
【００７１】
そして、この開閉装置１における弾性手段８としての渦巻きバネは、取付板５の中ほどにおいて固定部材１０を用いて固定されており、メインアーム４１の収納部本体２側の端部に設けられた支点７１に渦巻きバネの作用点８１を直接取り付けている。
【００７２】
即ち、この開閉装置１においては、図８（ａ）のように蓋部３が収納部本体２前面の開放部を覆う閉状態にあるときは、メインアーム４１の収納部本体２側の枢着点４１１が、支点７１より上位置に存するため、弾性体８から生じる付勢力が蓋部３を開放する方向へのアーム４の回転を妨げ、蓋部３が収納部本体２に押し付けられて、該収納部本体２前面の開放部が蓋部３によりきっちりと閉ざされるのである。
【００７３】
一方、弾性体８から生じる付勢力に抗して、蓋部３を開状態にすると、図８（ｂ）に示すように、メインアーム４１の収納部本体２側の枢着点４１１が、前記支点７１より下位置に存するため、弾性体８から生じる付勢力が蓋部３を開放する方向への補助力となり、安定した開状態が維持されるのである。
【００７４】
その余は、前記実施例１とほぼ同様であり、繰り返しを避けるためここでは説明を省略する。
【実施例３】
【００７５】
図９は、実施例３に係る本発明の開閉装置１を示す模式図（（ａ）閉状態の側面図、（ｂ）開状態の側面図）であり、この開閉装置１は、前面が開放された箱状の収納部本体２と、この収納部本体前面の開放部を覆う蓋部３と、該蓋部３を収納部本体２に支持するための２本のアーム４（メインアーム４１、補助アーム４２）からなる。
【００７６】
そして、この開閉装置１における弾性手段８としての渦巻きバネは、取付板５の中ほどに固定部材１０を用いて固定されており、メインアーム４１の端部において突出するクランク部７に設けられた支点７１に渦巻きバネの作用点８１を直接取り付けている。
【００７７】
即ち、この開閉装置１においては、図９（ａ）のように蓋部３が収納部本体２前面の開放部を覆う閉状態にあるときは、メインアーム４１の収納部本体２側の枢着点４１１が、支点４１より上位置に存するため、弾性体８から生じる付勢力が蓋部３を開放する方向へのアーム４の回転を妨げ、蓋部３が収納部本体２に押し付けられて、該収納部本体２前面の開放部が蓋部３によりきっちりと閉ざされるのである。
【００７８】
一方、弾性体８から生じる付勢力に抗して、蓋部３を開状態にすると、図９（ｂ）に示すように、メインアーム４１の収納部本体２側の枢着点４１１が、支点７１より下位置に存するため、弾性体８から生じる付勢力が蓋部３を開放する方向への補助力となり、安定した開状態が維持されるのである。
【００７９】
その余は、前記実施例１と同様であり、繰り返しを避けるためここでは説明を省略する。
【実施例４】
【００８０】
図１０は、実施例４に係る本発明の開閉装置１を示す模式図（（ａ）閉状態の側面図、（ｂ）開状態の側面図）であり、この開閉装置１は、前面が開放された箱状の収納部本体２と、この収納部本体２前面の開放部を覆う蓋部３と、該蓋部３を収納部本体２に支持するための２本のアーム４（メインアーム４１、補助アーム４２）からなる。
【００８１】
そして、この開閉装置１における弾性手段８としての渦巻きバネは、取付板５の中ほどに固定部材１０を用いて固定されており、架橋部材９を介して、メインアーム４１の端部に設けられた支点７１に渦巻きバネの作用点８１を取り付けている。
【００８２】
即ち、この開閉装置１においては、図１０（ａ）のように蓋部３が収納部本体２前面の開放部を覆う閉状態にあるときは、メインアーム４１の収納部本体２側の枢着点４１１が、支点７１と渦巻きバネの作用点８１とが作る直線より上位置に存するため、弾性体８から生じる付勢力が蓋部３を開放する方向へのアーム４の回転を妨げ、蓋部３が収納部本体２に押し付けられて、該収納部本体２前面の開放部が蓋部３によりきっちりと閉ざされるのである。
【００８３】
一方、弾性体８から生じる付勢力に抗して、蓋部３を開状態にすると、図１０（ｂ）に示すように、メインアーム４１の収納部本体２側の枢着点４１１が、支点７１と渦巻きバネの作用点８１とが作る直線より下位置に存するため、弾性体８から生じる付勢力が蓋部３を開放する方向への補助力となり、安定した開状態が維持されるのである。
【００８４】
その余は、前記実施例１と同様であり、繰り返しを避けるためここでは説明を省略する。
【実施例５】
【００８５】
図１１は、実施例５に係る本発明の開閉装置１を示す模式図（（ａ）閉状態の側面図、（ｂ）開状態の側面図）であり、この開閉装置１は、前面が開放された箱状の収納部本体２と、この収納部本体２前面の開放部を覆う蓋部３と、該蓋部３を収納部本体２に支持するための１本のアーム４からなる。
【００８６】
なお、前記アーム４は、外筒とスライド棒からなり、該外筒内を沿ってスライド棒がスライドすることによってその長さを変化することができるものを用いている。
【００８７】
そして、この開閉装置１における弾性手段８としての渦巻きバネは、取付板５の中ほどに固定部材１０を用いて固定されており、架橋部材９を介して、アーム４の端部において突出するクランク部７に設けられた支点７１に渦巻きバネの作用点８１を取り付けている。
【００８８】
即ち、この開閉装置１においては、図１０（ａ）のように蓋部３が収納部本体２前面の開放部を覆う閉状態にあるときは、アーム４の収納部本体２側の枢着点４１１が、支点７１と渦巻きバネの作用点８１とが作る直線より上位置に存するため、弾性体８から生じる付勢力が蓋部３を開放する方向へのアーム４の回転を妨げ、蓋部３が収納部本体２に押し付けられて、該収納部本体２前面の開放部が蓋部３によりきっちりと閉ざされるのである（この際、アーム４は縮んだ状態で収納部本体に格納される。）。
【００８９】
一方、弾性体８から生じる付勢力に抗して、蓋部３を開状態にすると、図１０（ｂ）に示すように、アーム４の収納部本体２側の枢着点４１１が、支点７１と渦巻きバネの作用点８１とが作る直線より下位置に存するため、弾性体８から生じる付勢力が蓋部３を開放する方向への補助力となり、安定した開状態が維持されるのである（この際、アームは伸びた状態となり、蓋部をより大きく開放する。）。
【００９０】
その余は、前記実施例１と同様であり、繰り返しを避けるためここでは説明を省略する。
【図面の簡単な説明】
【００９１】
【図１】図１は、従来公知の開閉装置を示す模式図である。
【図２】図２は、従来公知の開閉装置の作動状態を示す模式図である。
【図３】図３は、実施例１に係る本発明の開閉装置を示す模式図である。
【図４】図４は、実施例１に係る本発明の開閉装置の作動状態を示す模式図である。
【図５】図５は、本発明の開閉装置において、架橋部材の長さが変化することにより弾性力が制御される状態を示す模式図である。
【図６】図６は、本発明の開閉装置において、渦巻きバネの設置位置が変化することにより、弾性力が制御される状態を示す模式図である。
【図７】図７は、本発明の開閉装置において、渦巻きバネの設置角度が変化することにより、弾性力が制御される状態を示す模式図である。
【図８】図８は、実施例２に係る本発明の開閉装置及びその作動状態を示す模式図である
【図９】図９は、実施例３に係る本発明の開閉装置及びその作動状態を示す模式図である。
【図１０】図１０は、実施例４に係る本発明の開閉装置及びその作動状態を示す模式図である。
【図１１】図１１は、実施例５に係る本発明の開閉装置及びその作動状態を示す模式図である。
【符号の説明】
【００９２】
１  開閉装置
２  収納部本体
３  蓋部
４  アーム
５  取付板
６  取付部
７  クランク部材
８  弾性部材
９  架橋部材
１０  固定部材
１３  連結部材
【図１】
2007169876.tif 000003
【図２】
2007169876.tif 000004
【図３】
2007169876.tif 000005
【図４】
2007169876.tif 000006
【図５】
2007169876.tif 000007
【図６】
2007169876.tif 000008
【図７】
2007169876.tif 000009
【図８】
2007169876.tif 000010
【図９】
2007169876.tif 000011
【図１０】
2007169876.tif 000012
【図１１】
2007169876.tif 000013